(57)【特許請求の範囲】
【請求項１】
交差する建築構造材の相互間を接合する耐震補強金具であって、
鋼板材をＬ字状に折曲して２つの固定片とし、両固定片の中間を各々外側に湾曲させて２つの円弧部を形成した第一金具と、
前記第一金具の両固定片の端部に固着される固定部を両端に有し、その中間中央部を内側に膨出させてバネ弾性による復元力を起生させる略Ω状のクッションラウンドを形成し、前記クッションラウンドを挟んで両側に、外側に湾曲する２つの円弧部を形成した第二金具と、
前記第一金具の折曲基端部に当てがいこれを補強する補強部材と、を備え、
前記第一金具の両固定片の端部、及び折曲基端部の両側にゴム弾性を有する緩衝部材を介在させ、交差する建築構造材の双方に跨り、第一金具と第二金具とを重ね合わせて固着するように為したことを特徴とする耐震補強金具。
【請求項２】
交差する建築構造材の相互間を接合する耐震補強金具であって、
鋼板材をＬ字状に折曲して２つの固定片とし、両固定片の中間を各々外側に湾曲させて２つの円弧部を形成した第一金具と、
前記第一金具の両固定片の端部に固着される固定部を両端に有し、その中間中央部を外側に膨出させてバネ弾性による復元力を起生させる略Ω状のクッションラウンドを形成し、前記クッションラウンドを挟んで両側に、内側に湾曲する２つの円弧部を形成した第二金具と、
前記第一金具の折曲基端部に当てがいこれを補強する補強部材と、を備え、
前記第一金具の両固定片の端部、及び折曲基端部の両側にゴム弾性を有する緩衝部材を介在させ、交差する建築構造材の双方に跨り、第一金具と第二金具とを重ね合わせて固着するように為したことを特徴とする耐震補強金具。
【請求項３】
前記補強部材の折曲基端部の曲率半径を、前記第一金具の折曲基端部の曲率半径より大きく設定することにより、両折曲基端部間に隙間を形成することを特徴とする請求項１又は請求項２に記載の耐震補強金具。
【発明の詳細な説明】
【０００１】
【発明の属する技術分野】
本発明は、地震、台風等により木造建築物に強度の振動が負荷されても崩壊しないように、交差して接続されている建築構造材の接合部に取付けてこれを補強することを目的とする耐震補強金具に関する。
【０００２】
【従来の技術】
従来、木造建築物の構造材の接合部を補強する方法としては、筋かいや火打梁を設けたり、かすがい、Ｌ型金具を取付けるなど種々の方法が採用されている。
しかし、このような方法では、地震、台風等により強度の振動が負荷された場合の補強効果は十分ではなく、接合部で構造材が簡単に離反したり破損したりして、木造建築物がその接合部において破壊したり、酷い場合には倒壊してしまうこともあった。
【０００３】
そこで、地震、台風等による強度の振動にも十分耐え得るものとして、図５に斜視図で示すような補強金具５１が考案され、使用されている。
この補強金具５１は、高張力鋼よりなる板材をＬ字状に折曲すると共に、両片部５２１，５２２の各々の中間部に外側に折曲した折曲膨出部５２１ａ，５２２ａを各々形成したＬ形基材５２を設け、このＬ形基材５２の折曲角部５２３に高張力鋼よりなる板材を折曲した補強部材５３を溶接により固着し、上記Ｌ形基材５２の四ヶ所に吸震ゴム等よりなる緩衝部材５４を係着したものである。
【０００４】
これによれば、Ｌ形基材５２全体及びその折曲膨出部５２１ａ，５２２ａにより、垂直、水平両方向の振動がある程度吸収されるが、Ｌ形基材５２の変形を確実に復元させるには不十分であり、木造建築物に強い振動が負荷された場合、建築構造材相互の接合部において破損する虞れがある。
【０００５】
【発明が解決しようとする課題】
上記補強金具５１は、両片部５２１，５２２の中間部を外側に折曲して平坦な折曲膨出部５２１ａ，５２２ａを形成してあるので、垂直方向の振動、鉛直回りの揺動を吸収したり、Ｌ形基材５２の変形を復元させる等の作用効果が不十分であると共に、Ｌ形基材５２に補強部材５３を溶接により固着して、Ｌ形基材５２の折曲角部５２３と補強部材５３の折曲角部５３１とを隙間なく密着させてあるために、弾性変形量が少なくなり、補強部材５４の各部に過大な集中負荷がかかり、締結用のボルトが飛んだり補強部材５４に亀裂が生じたりするという問題があった。
【０００６】
本発明は、かかる問題点を解決すべく為されたものであって、垂直方向や水平方向の振動、鉛直回りの揺動を吸収し、地震、台風等により木造建築物に強度の振動が負荷されても崩壊しないように、交差する建築構造材の相互間に跨がって補強基材を固着することにより、耐震性能を一層向上させるようにした耐震補強金具を提供することを目的とする。
【０００７】
【課題を解決するための手段】
本発明は、上記課題を解決するためのものであって、交差する建築構造材の相互間を接合する耐震補強金具であって、鋼板材をＬ字状に折曲して２つの固定片とし、両固定片の中間を各々外側に湾曲させて２つの円弧部を形成した第一金具と、前記第一金具の両固定片の端部に固着される固定部を両端に有し、その中間中央部を内側に膨出させてバネ弾性による復元力を起生させる略Ω状のクッションラウンドを形成し、前記クッションラウンドを挟んで両側に、外側に湾曲する２つの円弧部を形成した第二金具と、前記第一金具の折曲基端部に当てがいこれを補強する補強部材と、を備え、前記第一金具の両固定片の端部、及び折曲基端部の両側にゴム弾性を有する緩衝部材を介在させ、交差する建築構造材の双方に跨ることを特徴とする耐震補強金具である。また、交差する建築構造材の相互間を接合する耐震補強金具であって、鋼板材をＬ字状に折曲して２つの固定片とし、両固定片の中間を各々外側に湾曲させて２つの円弧部を形成した第一金具と、前記第一金具の両固定片の端部に固着される固定部を両端に有し、その中間中央部を外側に膨出させてバネ弾性による復元力を起生させる略Ω状のクッションラウンドを形成し、前記クッションラウンドを挟んで両側に、内側に湾曲する２つの円弧部を形成した第二金具と、前記第一金具の折曲基端部に当てがいこれを補強する補強部材と、を備え、前記第一金具の両固定片の端部、及び折曲基端部の両側にゴム弾性を有する緩衝部材を介在させ、交差する建築構造材の双方に跨ることを特徴とする耐震補強金具である。
【０００８】
【発明の実施の形態】
以下、本発明の耐震補強金具の好適な実施形態について、図面に基づき具体的に説明する。
図１は本発明の実施例を示す斜視図、図２は本発明で用いる第一金具及び補強部材を示す斜視図、図３（Ａ）は本発明で用いる第二金具の一例を示す斜視図、（Ｂ）は本発明で用いる第二金具の他の例を示す斜視図、図４は本発明の使用状態を示す斜視図である。
【０００９】
本発明は、図示したように、交差する建築構造材、例えば柱構造材Ａ−１と梁、桁構造材Ａ−２の相互間を接合する耐震補強金具１であって、鋼板材をＬ字状に折曲してなる第一金具１１と、この第一金具１１の折曲基端部１１３に当てがいこれを補強する補強部材１３と、上記第一金具１１の両固定片１１１，１１１の端部に固着される固定部１２１，１２１を両端に有し且つ中間中央部にクッションラウンド１２３を形成してなる第二金具１２とから構成され、上記第一金具１１の複数ヶ所にゴム弾性を有する緩衝部材２を介在させて、交差する柱構造材Ａ−１と梁、桁構造材Ａ−２の双方に跨がり、第一金具１１と第二金具１２を重ね合わせ固着するように為したことを特徴とする。
【００１０】
また、上記第一金具１１の両固定片１１１，１１１の中間を各々外側に湾曲させて円弧部１１２を形成し、一方、第二金具１２の中間を外側又は内側に湾曲させて円弧部１２２を形成すると共に、中間中央部を内側又は外側に膨出させてクッションラウンド１２３を形成したことを特徴とするものであり、更に、上記補強部材１３の折曲基端部１３１の曲率半径Ｒを、第一金具１１の折曲基端部１１３の曲率半径Ｒ′より大きく設定することにより、両折曲基端部１１３，１３１間に隙間ｄが形成されることを特徴とする。
【００１１】
本発明は、バネ弾性を有する第一金具１１と第二金具１２からなる二重構造体であること、第一金具１１に補強部材１３がその折曲基端部で隙間ｄを形成して添設されていること、及び緩衝部材２を介して建築構造材に固着されるものであること等の相乗効果により、地震や台風等により木造建築物に強度の振動が負荷されても損壊が防止できるというものである。
【００１２】
即ち、第一金具１１の両固定片１１１，１１１に形成した円弧部１１２、第二金具１２に形成した円弧部１２２とクッションラウンド１２３、並びに補強部材１３の折曲基端部１３１と第一金具１１の折曲基端部１１３との間に隙間ｄを形成したことと相俟って、交差接続している建築構造材の相互間に、緩衝部材２を介して耐震補強金具１を跨設することにより、木造建築物に垂直並びに水平方向の振動、鉛直回りの揺動が加わっても、これを吸収する緩衝効果とバネ弾性による復元力が起生して、木造建築物の損壊を防止することができる。
【００１３】
【実施例】
本発明は、図１に斜視図で、図４に側面図で示すように、木造建築物において交差する柱構造材Ａ−１と梁、桁構造材Ａ−２に跨がって固着する耐震補強金具１であって、この耐震補強金具１を構成する第一金具１１、第二金具１２及び第一金具１１を補強する補強部材１３等は、低炭素鋼にマンガン、珪素、ニッケル、クロム、モリブデン等の合金元素を適当に組合わせ少量添加したものからなり、通常引っ張り強さ５０ｋｇ／ｍｍ2 以上、降伏点３０ｋｇ／ｍｍ2 以上で、溶接性、切欠き靭性、加工性、耐蝕性に優れた高張力鋼が好適に使用される。
【００１４】
そして、上記第一金具１１は、図２に斜視図で示すように、高張力鋼よりなる鋼板材を折曲角略９０゜のＬ字状に折曲し、その折曲基端部１１３を曲率半径Ｒ′に設定すると共に、両固定片１１１，１１１の中間に外側に湾曲する円弧部１１２が各々形成され、且つ両端部並びに折曲基端部１１３の両側に締着孔１１４，１１４が穿設される。
【００１５】
上記第一金具１１を補強する補強部材１３は、高張力鋼よりなる鋼板材を折曲角略９０゜のＬ字状に折曲し、その折曲基端部１３１を曲率半径Ｒに設定すると共に、両端部には、第一金具１１の折曲基端部１１３の両側に穿設した締着孔１１４，１１４と符合する位置に、締着長孔１３２，１３２を穿設して応力集中の緩和を図っている。
そして、上記第一金具１１の折曲基端部１１３の曲率半径Ｒ′に対して、補強部材１３の折曲基端部１３１の曲率半径Ｒを大きく設定して、両折曲基端部１１３，１３１間に隙間ｄが形成されるものである。
【００１６】
そして、上記第一金具１１に重合して組付ける第二金具１２は、第一金具１１と同様に高張力鋼よりなり、図３（Ａ）に斜視図で示すように、その中間中央部を内側に膨出させて略Ω状にクッションラウンド１２３を形成すると共に、このクッションラウンド１２３を挟んで両側に、外側に湾曲する円弧部１２２を形成するか、或いは図３（Ｂ）に斜視図で示すように、その中間中央部を外側に膨出させて略Ω状にクッションラウンド１２３を形成すると共に、このクッションラウンド１２３を挟んで両側に、内側に湾曲する円弧部１２２を形成したものである。
また、上記第二金具１２の両端には、第一金具１１の両固定片１１１，１１１の端部に穿設されている締着孔１１４と一致する位置に、締着孔１２４が穿設されている。
【００１７】
交差接続する柱構造材Ａ−１と梁、桁構造材Ａ−２に跨がって第一金具１１を固着する際に、第一金具１１の両固定片１１１，１１１の端部及び折曲基端部１１３の両側との間に介在させて取付けられる緩衝部材２は、弾性特性、耐久性の良好なゴム弾性を有する吸震ゴムからなるものであって、図１、図４に示すように、建築構造材との当接面には各々締着長孔２１を穿設して応力集中の緩和を図っている。
【００１８】
以下、本発明を建築構造材に取付ける手順について記述する。
先ず、図４に示すように、柱構造材Ａ−１と梁、桁構造材Ａ−２との交差接合部に、緩衝部材２を介して図２に示す第一金具１１の折曲基端部１１３を当てがうと共に、その上に補強部材１３を当接したのち、補強部材１３の締着長孔１３２から第一金具１１の締着孔１１４及び緩衝部材２の締着長孔２１にボルト等の固定金具３を通してこれを締着固定しておく。
【００１９】
そして、折曲基端部１１３が柱構造材Ａ−１と梁、桁構造材Ａ−２に固着された上記第一金具１１の両固定片１１１，１１１の端部に設けた締着孔１１４と、緩衝部材２の締着長孔２１とを一致させて、固定片１１１の裏側に緩衝部材２を挟み込み、引続き図３（Ａ）又は（Ｂ）に示すような第二金具１２の固定部１２１を、ボルト等の固定金具３を用いて、これを第二金具１２の締着孔１２４、第一金具１１の締着孔１１４及び緩衝部材２の締着長孔２１に通し建築構造材に固着することにより、本発明の耐震補強金具１の取付け作業を完了する。
【００２０】
上記本発明で、第一金具１１の両固定片１１１，１１１に形成した円弧部１１２、第二金具１２に形成した円弧部１２２とクッションラウンド１２３、並びに補強部材１３の折曲基端部１３１と第一金具１１の折曲基端部１１３との間に隙間ｄを形成したことと併せて、緩衝部材２を介して耐震補強金具１を建築構造材の柱構造材Ａ−１と梁、桁構造材Ａ−２間に跨設することにより、木造建築物に垂直並びに水平方向の振動、鉛直回りの揺動が加わっても、これを吸収する緩衝効果とバネ弾性による復元力が起生して、木造建築物の損壊が防止されるという作用効果を奏するものである。
【図面の簡単な説明】
【図１】本発明の実施例を示す斜視図である。
【図２】本発明で用いる第一金具及び補強部材を示す斜視図である。
【図３】本発明で用いる第二金具の例を示す斜視図である。
【図４】本発明の使用状態を示す側面図である。
【図５】従来例を示す斜視図である。
【符号の説明】
１        耐震補強金具
１１      第一金具
１１１    固定片
１１２    円弧部
１１３    折曲基端部
１１４    締着孔
１２      第二金具
１２１    固定部
１２２    円弧部
１２３    クッションラウンド
１２４    締着孔
１３      補強部材
１３１    折曲基端部
１３２    締着長孔
２        緩衝部材
２１      締着長孔
３        固定金具
Ａ−１    柱構造材
Ａ−２    梁、桁構造材
ｄ        隙間
Ｒ        補強部材の曲率半径
Ｒ′      第一金具の曲率半径
【図１】
0004531903.tif 000002
【図２】
0004531903.tif 000003
【図３】
0004531903.tif 000004
【図４】
0004531903.tif 000005
【図５】
0004531903.tif 000006